(57)【要約】ＵＭＴＳ  ＴＤＤ無線通信環境におけるアップリンク・ソフト・ハンドオフをサポートすることを容易にするシステムおよび方法が記述される。各ユーザ・デバイスの仮想アクティブ・セット（ＶＡＳ）は、通信環境のネットワーク側で生成される。また、各ＶＡＳにリストされたセクタは、それぞれのリストが通知される。ユーザ・デバイスのＶＡＳにおけるセクタは、ユーザ・デバイスにサービス提供する公称セクタからスクランブル符号およびリソース割当が提供される。この情報は、ＶＡＳ内の全ての基地局において、ユーザ・デバイスからのアップリンク信号の受信および復調を試みるために適用することができる。さらに、そのようなリソースは、ユーザ・デバイスへダウンリンクで電力制御コマンドおよびリバース・アクティビティ・コマンドを送信するために適用することができる。
2009506673.tif 000002
【特許請求の範囲】
【請求項１】
無線通信環境においてソフト・ハンドオフを行なう方法であって、
ユーザ・デバイス送信の受信および復調を行うことが可能なセクタのリストを備えた、ユーザ・デバイスの仮想アクティブ・セットを評価することと、
前記ユーザ・デバイスに関連するチャネルおよびリソース割当情報と、前記ユーザ・デバイスによって使用されるスクランブル符号とを、前記ＶＡＳ内にリストされたセクタに提供することと、
前記ＶＡＳにリストされたセクタにおいて、前記ユーザ・デバイスからの通信信号を受信し、復調することと
を備える方法。
【請求項２】
前記ＶＡＳにリストされた全てのセクタから、前記ユーザ・デバイスへ、電力制御コマンドを送信することを更に備える請求項１に記載の方法。
【請求項３】
前記ＶＡＳ内の全てのセクタから、前記ユーザ・デバイスへ、リバース・アクティビティ・コマンドを送信することを更に備える請求項１に記載の方法。
【請求項４】
前記ＶＡＳ内にリストされた全てのセクタから、前記リバース・アクティビティ・コマンドによってレート制御情報を送信することを更に備える請求項３に記載の方法。
【請求項５】
前記ＶＡＳにリストされた全てのセクタから前記ユーザ・デバイスへコマンドを送信するために、前記ユーザ・デバイスによって適用されるスクランブル符号を用いることを更に備える請求項１に記載の方法。
【請求項６】
チャネル割当情報、タイム・スロット情報、および符号割当情報のうちの少なくとも１つを、前記リソース割当情報内に提供することを更に備える請求項１に記載の方法。
【請求項７】
予め定めたしきいレベルを超えるレベルにおいて送信するユーザ・デバイスを識別することを更に備え、
前記予め定めたしきいレベルは、前記ユーザ・デバイスのＶＡＳ内のセクタ基地局において干渉を引き起こす電力レベルを示す請求項１に記載の方法。
【請求項８】
前記ユーザ・デバイスにおける送信電力を低減し、それによって引き起こされる干渉を緩和するように、前記セクタから前記ユーザ・デバイスへと電力制御コマンドを提供することを更に備える請求項７に記載の方法。
【請求項９】
前記ユーザ・デバイスに関連する情報を受信し、前記ユーザ・デバイスのＶＡＳ内の全てのセクタに対して、送信電力を低減するように前記ユーザ・デバイスへ指示する電力制御コマンドを送信するようにシグナルする基地局コントローラを適用することを更に備える請求項７に記載の方法。
【請求項１０】
前記ユーザ・デバイスからの送信の受信および復調を開始および／または継続するために、セクタの能力に関連する測定値を用いて前記ＶＡＳを定期的に更新することを更に備える請求項１に記載の方法。
【請求項１１】
前記ユーザ・デバイスが、セクタの有効範囲領域内にあるかを評価することと、
前記セクタを前記ＶＡＳ内に含めるかを判定することと
を更に備える請求項１０に記載の方法。
【請求項１２】
無線通信環境において、アップリンク・ソフト・ハンドオフを容易にする装置であって。
基地局がリストされているセクタ・リストとともに、ユーザ・デバイスに関連する情報を格納する、前記基地局内のメモリと、
前記メモリに格納された情報を分析し、前記ユーザ・デバイスへ割り当てられたスクランブル符号を用いて、前記ユーザ・デバイスから受信された情報を処理し、電力制御コマンドおよびリバース・アクティビティ・コマンドの前記ユーザ・デバイスへの送信を開始するプロセッサと
を備える装置。
【請求項１３】
前記セクタ・リストは、前記ユーザ・デバイスからの信号の受信および復調を試みる全てのセクタのリストを備える請求項１２に記載の装置。
【請求項１４】
前記セクタ・リストは、前記スクランブル符号および通信リソースを前記ユーザ・デバイスへ割り当てる公称セクタを備える請求項１３に記載の装置。
【請求項１５】
前記通信リソースは、チャネル・リソース、タイム・スロット、および符号リソースのうちの少なくとも１つを備える請求項１４に記載の装置。
【請求項１６】
前記セクタ・リストにリストされたセクタは、前記ユーザ・デバイスへ割り当てられたスクランブル符号および通信リソースを知っている請求項１５に記載の装置。
【請求項１７】
前記セクタ・リスト内のセクタは、前記公称セクタ・スクランブル符号を用いて、電力制御コマンドおよびリバース・アクティビティ・コマンドのうちの少なくとも１つを前記ユーザ・デバイスへ送信する請求項１６に記載の装置。
【請求項１８】
前記ユーザ・デバイスが、予め定めたしきい値を超える電力レベルで送信し、前記セクタ基地局において干渉を引き起こす場合、前記プロセッサが、そのユーザ・デバイスを識別する請求項１７に記載の装置。
【請求項１９】
前記プロセッサは、前記ユーザ・デバイスへの電力制御コマンドの送信を開始し、前記予め定めたしきい値よりも低く送信電力を下げ、干渉を緩和するように前記ユーザ・デバイスに対して指示する請求項１８に記載の装置。
【請求項２０】
無線通信環境におけるアップリンク・ソフト・ハンドオフをサポートすることを容易にする装置であって、
ユーザ・デバイスからの信号の受信および復調を行うことが可能な全てのセクタのリストを備えた、前記ユーザ・デバイスの仮想アクティブ・セット（ＶＡＳ）を評価する手段と、
前記ＶＡＳにリストされた全てのセクタから前記ユーザ・デバイスへ、電力制御コマンドおよびリバース・アクティビティ・コマンドを送信する手段と
を備える装置。
【請求項２１】
予め定めたしきい値よりも高い電力レベルで送信し、セクタ基地局において干渉を引き起こすユーザ・デバイスを検出する手段を更に備える請求項２０に記載の装置。
【請求項２２】
前記ユーザ・デバイスに対して、送信電力を下げさせ、セクタ基地局における干渉を緩和させるために、前記セクタ基地局から電力制御コマンドを送信する手段を更に備える請求項２１に記載の装置。
【請求項２３】
前記ＶＡＳ内の各セクタは、前記ユーザ・デバイスの公称セクタに関連付けられたスクランブル符号を知っている請求項２０に記載の装置。
【請求項２４】
前記ユーザ・デバイスからの信号の受信および復調を行い、電力制御コマンドおよびリバース・アクティビティ・コマンドを変調し、前記ユーザ・デバイスへ送信するために、各セクタが、前記スクランブル符号を用いる請求項２３に記載の装置。
【請求項２５】
前記ユーザ・デバイスからの信号を受信し復調する複数のセクタの能力をモニタする手段を更に備える請求項２０に記載の装置。
【請求項２６】
前記モニタする手段によって生成された情報に少なくとも部分的に基づいて、前記ＶＡＳを定期的に更新する手段を更に備える請求項２５に記載の装置。
【請求項２７】
ユーザ・デバイスからの信号を受信および復調することが可能なセクタの識別情報を備えるセクタのリストを基地局において生成することと、
前記セクタのリストにおいて識別されるセクタから、前記ユーザ・デバイスへと、電力制御コマンドおよびリバース・アクティビティ・コマンドを送信することと
のためのコンピュータ実行可能命令を格納して有するコンピュータ読取可能媒体。
【請求項２８】
セクタのリストにリストされたセクタにおいて干渉を引き起こしているユーザ・デバイスを識別する命令を更に備える請求項２７に記載のコンピュータ読取可能媒体。
【請求項２９】
前記干渉を受けているセクタから、前記干渉を引き起こしているユーザ・デバイスへと電力制御コマンドを送信する命令を更に備え、
前記電力制御コマンドは、低い電力レベルで送信するように、前記干渉を引き起こしているユーザ・デバイスへ命令する請求項２８に記載のコンピュータ読取可能媒体。
【請求項３０】
前記ユーザ・デバイスから通信信号を受信し復調するために、複数のセクタの能力に関連する測定値に少なくとも部分的に基づいて、セクタのリストを定期的に更新する命令を更に備える請求項２７に記載のコンピュータ読取可能媒体。
【請求項３１】
無線通信環境においてアップリンク・ソフト・ハンドオフする命令を実行する、基地局内のプロセッサであって、
前記命令は、
ユーザ・デバイスと通信することが可能なセクタのリストを備えた仮想アクティブ・セット（ＶＡＳ）を分析することと、
前記基地局が、前記ユーザ・デバイスのＶＡＳ内にリストされていることを確認することと、
前記ユーザ・デバイスから通信信号を受信して復調することと、
電力制御コマンドおよびリバース・アクティビティ・コマンドを前記ユーザ・デバイスへ送信することと
を備えるプロセッサ。
【請求項３２】
前記基地局が、前記ユーザ・デバイスの公称セクタ内にあるのであれば、前記ユーザ・デバイスへデータ信号を送信する命令を更に備える請求項３１に記載のプロセッサ。
【請求項３３】
前記基地局が、前記ユーザ・デバイスの公称セクタにないのであれば、
前記公称セクタによって前記ユーザ・デバイスへ割り当てられたスクランブル符号および通信リソースを用いる命令を更に備える請求項３１に記載のプロセッサ。
【発明の詳細な説明】
【技術分野】
【０００１】
以下の記述は、一般に、無線通信に関し、更に詳しくは、ユニバーサル・モバイル通信システム無線環境において、仮想アクティブ・セットを用いて、ユーザ・デバイスのアップリンク・ソフト・ハンドオフを提供することに関する。
【０００２】
（３５  Ｕ．Ｓ．Ｃ．１１９条の下の優先権主張）  
本願は、２００５年８月２６日に出願され、本願の譲受人に譲渡され、本明細書において参照によって明確に組み込まれている「ＵＰＬＩＮＫ  ＳＯＦＴ  ＨＡＮＤＯＦＦ  ＳＵＰＰＯＲＴ  ＩＮ  ＵＭＴＳ  ＴＤＤ  ＳＹＳＴＥＭＳ  ＦＯＲ  ＥＦＦＩＣＩＥＮＴ  ＵＰＬＩＮＫ  ＰＯＷＥＲ  ＡＮＤ  ＲＡＴＥ  ＣＯＮＴＲＯＬ」と題された米国出願６０／７１１，９７４番の優先権を要求する。
【背景技術】
【０００３】
無線通信システムは、普及している手段であり、世界中の多くの人々がこの手段を使用して通信をするようになっている。無線通信デバイスは、消費者のニーズを満たし、携帯性および利便性を向上させるため、さらに小型で高性能になっている。携帯電話のようなモバイル・デバイスの処理能力が向上したことで、無線ネットワーク送信システムに対する需要が増してきている。このようなシステムは一般的に、これらのシステムを介して通信をするセル式デバイスのように簡単に更新できない。モバイル・デバイスの機能が拡張するにつれ、新しく改良された無線デバイスの機能を容易にフル活用するような形で旧式の無線通信システムを維持することは難しい場合がある。
【０００４】
特に、周波数分割に基づく技術では、一般にスペクトルを均一量の帯域に分割することによってスペクトルを別のチャネルに分ける。例えば、無線通信用に割り当てられた周波数帯域の分割は３０チャネルに分けることができる。各チャネルは音声会話を搬送でき、デジタル・サービスではデジタル・データを搬送できる。各チャネルには、１度に１ユーザにしか割り当てることができない。周知の別の技術の１つに、システムの全帯域幅を多数の直交サブバンドへ効果的に分割する直交周波数分割技術がある。これらのサブバンドは、トーン、キャリア、サブキャリア、ビン、および／または周波数チャネルとも称される。各サブバンドは、データとともに変調することができるサブキャリアに関連付けられる。時分割に基づく技術では、帯域は時間的にシーケンシャルなタイム・スライスまたはタイム・スロットに分割される。チャネルの各ユーザには、ラウンドロビン方式で情報を送受信するタイム・スライスが提供される。例えば、任意の時間ｔに、ショートバースト用のチャネルへのアクセスがユーザに提供される。次いで、アクセスは情報を送受信するためにショートバースト時間が提供されている他のユーザに切り替わる。この「交代」のサイクルが続き、最終的に各ユーザに多数の送受信バーストが提供される。
【０００５】
符号分割に基づく技術では、一般に１つの領域において任意の時に利用可能な複数の周波数にてデータを送信する。一般的に、データはデジタル化され、利用可能な帯域幅で拡散される。ここで多数のユーザをチャネル上で重ねることができ、それぞれのユーザにユニークなシーケンス符号を割り当てることができる。ユーザは、同じ広帯域のスペクトルの量において送信することができ、各ユーザの信号は、それぞれユニークな拡散符号によって帯域全体に拡散される。この技術は、１人または複数のユーザが同時に送受信できる共有に対応できる。このような共有は、スペクトラム拡散デジタル変調によって実現される。スペクトラム拡散デジタル変調では、ユーザのビット・ストリームが符号化され、疑似乱数式に非常に広いチャネルを通って拡散される。受信器は、関連するユニークな連続符号を認識し、コヒーレントな方法で特定のユーザのビットを集めるために乱数化を復元するように設計されている。
【０００６】
（例えば、周波数分割、時分割、および符号分割技術を使用する）典型的な無線通信ネットワークには、有効範囲領域を提供する１または複数の基地局および有効範囲領域内でデータの送受信ができる１または複数の移動（例えば、無線）端末が含まれる。典型的な基地局は、ブロードキャスト、マルチキャスト、および／またはユニキャスト・サービス用の多数のデータ・ストリームを同時に送信することができる。ここでのデータ・ストリームは１つの移動端末にとって、個別に関心がある受信とすることができる。基地局の有効範囲領域内の移動端末は、複合ストリームによって搬送される１つ、２つ以上、またはすべてのデータ・ストリームに注目することができる。同様にして、移動端末は、基地局または他の移動端末にデータを送信することができる。基地局と移動端末との間、または移動端末間のこのような通信は、チャネルの変化および／または干渉電力の変化によって品位が劣化することがある。例えば、上記の変化は、基地局の１または複数の移動端末に対するスケジューリング、電力制御、および／またはレート予測に影響が及ぶことがある。
【０００７】
従来ＵＭＴＳ  ＴＤＤシステムは、アップリンクにおけるソフト・ハンドオフをサポートせず、ユーザ・デバイスからそのサービング・セクタへの電力送信中に、隣接セクタにおいて、望まれない干渉をもたらしうる干渉をもたらしているユーザ・デバイスは、そのサービング・セクタからのものではない送信を聞かないので、従来のシステムでは、干渉を受けたセクタは、干渉をもたらしているユーザ・デバイスの電力を低減するための頼み（recourse）を持っていない。したがって、そのような無線ネットワーク・システムにおけるスループットを改善するシステムおよび／または方法論に対する未解決のニーズが当該技術分野において存在する。
【発明の開示】
【発明の概要】
【０００８】
ここで図面を参照しながら様々な実施形態を説明するが、全体を通して同じ参照符号は同じ要素を示すために使用されている。以下の記載において、１または複数の実施形態を完全に理解するために、説明の目的で具体的な内容が多く開示されている。しかし、このような（複数の）実施形態をこれらの特定の詳細なしに実施できることも明らかであろう。別の例では、１または複数の実施形態の説明を容易とするために、周知の構造およびデバイスがブロック図の形式で示されている。
【０００９】
１または複数の実施形態、およびその対応する開示にしたがって、様々な局面が、ＵＭＴＳ  ＴＤＤ無線通信環境におけるアップリンク・ソフト・ハンドオフをサポートすることと関連して述べられる。１つの局面によれば、各ユーザ・デバイスのための仮想アクティブ・セット（ＶＡＳ）が、通信環境のネットワーク側において生成され、各ＶＡＳにリストされたセクタに、各それぞれのリストが通知される。ユーザ・デバイスのＶＡＳ内のセクタには、ユーザ・デバイスにサービス提供する公称セクタ（nominal sector）から、スクランブル符号およびリソース割当（例えば、タイム・スロット、チャネル等）が付加的に提供される。その情報は、ＶＡＳ内の全ての基地局において、ユーザ・デバイスからのアップリンク信号の受信および復調を試みるために適用されうる。さらに、そのようなリソースは、ダウンリンクでユーザ・デバイスへ電源制御コマンドおよびリバース・アクティビティ・コマンドを送信するために用いることができる。
【００１０】
その他の局面によれば、無線通信環境においてソフト・ハンドオフを実行する方法は、セクタ基地局において、ユーザ・デバイスの仮想アクティブ・セット（ＶＡＳ）を評価することを備える。ここで、ＶＡＳは、ユーザ・デバイス送信を受信し復調することができるセクタのリストを備える。さらにこの方法は、ユーザ・デバイスに関連するチャネルおよびリソース割当情報と、ユーザ・デバイスによって用いられるスクランブル符号とを、ＶＡＳ内にリストされた全てのセクタに提供することと、ＶＡＳ内にリストされた全てのセクタにおいて、ユーザ・デバイスから通信信号を受信し復調することとを備える。この方法は更に、ＶＡＳ内にリストされた全てのセクタからユーザ・デバイスへと、電力制御コマンドとリバース・アクティビティ・コマンドとを送信することを備える。さらにこの方法は、ＶＡＳ内にリストされたセクタにおいて干渉をもたらしているユーザ・デバイスを識別することと、ユーザ・デバイスにおける送信電力またはデータ・レートを低減して干渉を緩和するために、干渉をうけたセクタから電力制御コマンドまたはリバース・アクティビティ・コマンドを提供することとを備えることができる。
【００１１】
他の局面にしたがって、無線通信環境におけるアップリンク・ソフト・ハンドオフを容易にする装置は、基地局がリストされているセクタ・リストを備えたユーザ・デバイスに関連する情報を格納するメモリを基地局内に備える。また、この装置は、メモリに格納された情報を分析し、ユーザ・デバイスに割り当てられたスクランブル符号を用いて、ユーザ・デバイスから受信した情報を処理し、電力制御コマンドおよびリバース・アクティビティ・コマンドのユーザ・デバイスへの送信を開始するプロセッサを備える。セクタ・リストは、ユーザ・デバイスからの信号の受信および復調を試みる全てのセクタのリストを含むことができる。このセクタは、スクランブル符号および通信リソースをユーザ・デバイスへ割り当てる公称セクタを含む。セクタ・リスト内の全てのセクタは、電力制御コマンドとリバース・アクティビティ・コマンドとのうちの少なくとも１つを、公称セクタ・スクランブル符号を用いてユーザ・デバイスへ送信することができる。さらにプロセッサは、ユーザ・デバイスが、予め定めたしきい値よりも高い電力レベルで送信して、セクタ基地局において干渉を引き起こしている場合、このユーザ・デバイスを攻撃的であると識別することができる。そして、この攻撃的なユーザ・デバイスへの、電力制御コマンドまたはリバース・アクティビティ・コマンドの送信を開始し、この攻撃的なユーザ・デバイスに対して、干渉を緩和するために、送信電力またはデータ・レートを、予め定めたしきい値よりも低く下げるように指示する。
【００１２】
さらに別の局面にしたがって、無線通信環境におけるアップリンク・ソフト・ハンドオフをサポートすることを容易にする装置は、ユーザ・デバイスの仮想アクティブ・セット（ＶＡＳ）を評価する手段を備えることができる。ＶＡＳは、ユーザ・デバイスからの信号を受信および復調することができる全てのセクタのリストを備えている。また、この装置は、ＶＡＳにリストされた全てのセクタからユーザ・デバイスへと、電力制御コマンドおよびリバース・アクティビィティ・コマンドを送信する手段を備える。この装置は更に、予め定めたしきい値より高い電力レベルで送信して、セクタ基地局において干渉を引き起こす攻撃的なユーザ・デバイスを検出する手段を備えることができる。そして、干渉を受けた基地局は、電力制御コマンドまたはリバース・アクティビティ・コマンドを送信し、このユーザ・デバイスに対して、送信電力またはデータ・レートを低下させ、攻撃を受けたセクタ基地局における干渉を緩和させることができる。さらに、この装置は、ユーザ・デバイスからの信号を受信し復調する複数のセクタの能力をモニタする手段と、このモニタする手段によって生成された情報に少なくとも部分的に基づいて、ＶＡＳを定期的に更新する手段とを備えうる。
【００１３】
また、別の局面は、ユーザ・デバイスからの信号を受信し復調することができる全てのセクタの識別情報を備えるセクタのリストを基地局において生成し、このセクタのリスト内で識別される全てのセクタからユーザ・デバイスへと電力制御コマンドおよびリバース・アクティビティ・コマンドを送信するコンピュータ実行可能命令を格納しているコンピュータ読取可能媒体に関する。このコンピュータ読取可能媒体は更に、そのセクタのリストにリストされたセクタ内に干渉を引き起こすユーザ・デバイスを識別し、干渉を受けたセクタから、干渉を起こしているユーザ・デバイスへと電力制御コマンドまたはリバース・アクティビティ・コマンドを送信する命令を備えることができる。このコマンドは、ユーザ・デバイスに対して、低い電力レベルまたは低いデータ・レートで送信するように指示する。更に、コンピュータ読取可能媒体は、複数のセクタの、ユーザ・デバイスからの通信信号を受信し復調する機能に関する測定値に少なくとも部分的に基づいて、セクタのリストを定期的に更新する命令を備える。
【００１４】
更に別の局面は、無線通信環境におけるアップリンク・ソフト・ハンドオフのための命令を実行する、基地局内のプロセッサに関連する。この命令は、ユーザ・デバイスと通信可能な全てのセクタのリストを備えた仮想アクティブ・セット（ＶＡＳ）を分析することと、ユーザ・デバイスのＶＡＳに基地局がリストされていることを確認することと、ユーザ・デバイスからの通信信号を受信し、復調することと、電力制御コマンドとリバース・アクティビティ・コマンドとをユーザ・デバイスへ送信することとを備える。プロセッサは更に、基地局が、ユーザ・デバイスの公称セクタ内にあるのであれば、データ信号をユーザ・デバイスへ送信し、基地局が、ユーザ・デバイスの公称セクタ内にないのであれば、公称セクタによってユーザ・デバイスへ割り当てられた通信リソースおよびスクランブル符号を適用する命令を実行することができる。
【００１５】
前述および関連する目的を達成するため、１または複数の実施形態には、以下に完全に説明される特徴、特に特許請求の範囲で指摘される特徴が含まれる。以下の説明および添付の図面は、１または複数の実施形態の特定の例としての態様を詳細に開示するものである。ただし、これらの態様は、種々の実施形態の原理を使用できる種々の方法のうちの数例を示しているに過ぎず、記載された実施形態はこのような態様および同等物すべてを含むものとする。
【詳細な説明】
【００１６】
ここで図面を参照しながら様々な実施形態を説明するが、全体を通して同じ参照符号は同じ要素を示すために使用されている。以下の記載において、１または複数の実施形態を完全に理解するために、説明の目的で具体的な内容が多く開示されている。しかし、このような（複数の）実施形態をこれらの特定の詳細なしに実施できることも明らかであろう。別の例では、１または複数の実施形態の説明を容易とするために、周知の構造およびデバイスがブロック図の形式で示されている。
【００１７】
本出願で使用されているような、「コンポーネント」、「システム」等の用語は、ハードウェア、ハードウェアおよびソフトウェアの組み合わせ、ソフトウェア、または実行中のソフトウェアのいずれかのコンピュータ関連のエンティティを示すものとする。例えば、コンポーネントはプロセッサ上で実行するプロセス、プロセッサ、オブジェクト、実行ファイル、実行スレッド、プログラム、および／またはコンピュータであればよいが、これに限定されない。１または複数のコンポーネントがプロセスおよび／または実行スレッド内にあってもよく、コンポーネントは１台のコンピュータ上に配置され、かつ／または２台以上のコンピュータ間に分散されてもよい。さらに、これらのコンポーネントは、様々なデータ構造が格納された様々なコンピュータ読取可能媒体から実行できる。コンポーネントは、１または複数のデータ・パケット（例えば、ローカルシステム、分散システムおよび／またはインターネットのような信号によって他のシステムと繋がるネットワークの別のコンポーネントと交信する１つのコンポーネントからのデータ）を有する信号に従うなどして、ローカルおよび／または遠隔のプロセスを経由して通信できる。
【００１８】
さらにここで、加入者局に関する様々な実施形態を説明する。加入者局は、システム、加入者ユニット、移動局、移動体、遠隔局、アクセスポイント、基地局、遠隔端末、アクセス端末、ユーザ端末、ユーザ・エージェント、またはユーザ機器と呼ぶこともできる。加入者局は、セル式電話、コードレス電話、セッション開始プロトコル（Session Initiation Protocol：ＳＩＰ）電話、ワイヤレス・ローカル・ループ（wireless local loop：ＷＬＬ）局、パーソナル・デジタル・アシスタント（ＰＤＡ）、無線接続機能を有する携帯用デバイス、または無線モデムに接続された他の処理デバイスであればよい。
【００１９】
さらに、本願明細書に記載の様々な態様または機能は、標準的なプログラミングおよび／またはエンジニアリング技術を用いた方法、装置、製品として実現できる。ここで使用される「製品」という用語は、任意のコンピュータ可読デバイス、キャリア、または媒体からアクセス可能なコンピュータ・プログラムを含めるものとする。例えば、コンピュータ読取可能媒体には、磁気記憶デバイス（例えば、ハードディスク、フロッピー（登録商標）ディスク、磁気ストリップ等）、光学ディスク（例えば、コンパクト・ディスク（ＣＤ）、デジタル多用途ディスク（ＤＶＤ）等）、スマートカード、およびフラッシュ・メモリ・デバイス（例えば、カード、スティック、キードライブ等）を含めることができるが、これに限定されない。
【００２０】
様々な局面によれば、本明細書では、ＵＭＴＳ  ＴＤＤシステムにおいて、アップリンクにおけるソフト・ハンドオフを容易にするシステムおよび方法が記載される。アップリンク・ソフト・ハンドオフは、ユーザ・デバイスの送信電力の制御を容易にするＣＤＭＡシステムの所望される機能であり、ネットワーク・コントローラにおける残留（residual）フレーム誤り率（ＦＥＲ）が、特定の設定値になる。したがって、ユーザ・デバイスは、不必要な電力浪費なく、また、自身のセクタまたは隣接するセクタにおける望まれない干渉の増加もなく、ネットワーク・コントローラにおいて目標ＦＥＲ設定点を達成することを可能にする最小電力を送信することになる。さらに、アップリンク・ソフト・ハンドオフは、リバース・アクティビティに関連する情報を送信することによって、個々の受信セクタがそれぞれ、システム負荷を制御することを可能にする。したがって、ユーザ・デバイスは、ユーザ・デバイスが、干渉レベルを低減するためにその送信データ・レートを低減するか否か、およびシステム負荷（ＲｏＴ）に関する情報を受信することができる。したがって、本明細書に記載の様々な局面は、ＵＭＴＳ  ＴＤＤシステムのアップリンクにおけるソフト・ハンドオフの実施を可能にするアルゴリズムを説明する。さらに、そのようなシステムおよび方法は、ＵＭＴＳ  ＴＤＤの高チップレート（ＨＣＲ）のみならず、低チップレート（ＬＣＲ）にも当てはまる。
【００２１】
図１に示すように、システム１００は、ソフト・ハンドオフが、ｃｄｍａ２０００  １ｘエボリューション・データ・オプティマイズド（ＥｖＤＯ）無線通信環境において可能とされるように例示されている。第１の基地局１０４の第１のセクタ１０２が第２の基地局１０８の第２のセクタ１０６とオーバラップする有効範囲領域とともに示されている。第１の基地局１０４および第２の基地局１０８は、同一の基地局であってもよく、同一の基地局でなくてもよい。ユーザ・デバイス１１０は、オーバーラップ・エリア１１２内に示されている。このエリアは、第１の基地局１０４が第２の基地局１０８とは別である場合はソフト・ハンドオフ領域であり、第１の基地局１０４が第２の基地局１０８と同一である場合にはソフタ・ハンドオフ領域である。したがって、第１のセクタ１０２および第２のセクタ１０６の両方が、ユーザ・デバイス１１０のアクティブ・セットの中にある。第１の基地局１０４が第２の基地局１０８とは異なる基地局の場合は、基地局１０４および１０８からのアップリンク・トラフィックを結合する選択結合器１１６を有する基地局コントローラ１１４が示される。さらに、コントローラ１１４は、ダウンリンクでの送信用のデータ・パケットを一時的に格納するキュー１１８も備える。コントローラ１１４はキュー１１８と関連付けられ、基地局１０４（例えば、図において送信を行っている基地局）はキュー１３０に関連付けられることに注目されたい。ダウンリンク・データ１２０はキュー１１８からキュー１３０、基地局１０４へと送信され、基地局１０４は順にデータをユーザ・デバイス１１０へ送信する。ダウンリンク情報１２２は、基地局１０４からユーザ・デバイス１１０へ送信されることができ、この情報にはダウンリンク・データ、アップリンク電力管理情報、リバース・アクティビティ（reverse activity）情報を備えることができる。基地局１０８は、電力制御情報およびリバース・アクティビティ情報を備える信号１２４を送信することもできるが、ダウンリンク・データの送信はしないことは分かるであろう。ユーザ・デバイス１１０は、データのほか、サービング・セル情報も備えるアップリンク信号１２６および１２８をそれぞれ送信することによって、基地局１０４および１０８と通信することができる。信号１２６および１２８は同一（例えば、基地局１０４および１０８の両方に対して送信される単一の信号とすることができる）のものとすることができることは分かるであろう。
【００２２】
従来システムのＥｖＤＯのダウンリンクでは、ユーザ・デバイスのアクティブ・セット中のすべてのセクタによってユーザ・デバイスのアップリンク送信が復調および復号される間、単一のセクタ（例えば、セクタ１０２）が「サービング・セクタ」になる。ユーザ・デバイスのアップリンクでの送信はユーザ・デバイスのアクティブ・セット内のすべてのセクタによって復調および復号されるので、ユーザ・デバイスはそれらのセクタのどれかを「サービング・セクタ」として選択すればよい。ＥｖＤＯでは、ダウンロード・レート・コントロール（ＤＲＣ）カバーを経由してポインティング操作（pointing operation）が行われる。したがって、ＥｖＤＯでのＤＲＣカバーの変更は、サービング・セクタの変更を意味し、これにはセクタの送信バッファでパケットをデキューおよびエンキューすることを含めることができる。使用されていないセクタは、そのユーザ・デバイスを自身の送信バッファからデキューし、新しいサービング・セクタがユーザ・デバイスのデータを自身の送信バッファにエンキューする。このデキュー／エンキュー操作は、実装によって高速にも低速にもなりうる。例えば、パケット・データ・キューはコントローラまたはコントローラの複製に保持することができる。新しいセクタが選択された場合、古いサービング・セクタが地理的に新しいサービング・セクタと並べて配置されてもよい（例えば両方のセクタが同一のセルの場所に属する場合）ので、コントローラ１１４または古いサービング・セクタから新しいセクタのキューを埋めることができる。サービング・セクタを変更する（時間的）「費用」の推定をユーザ・デバイスに与えるために、２つの遅延、すなわちＳｏｆｔＨａｎｄｏｆｆＤｅｌａｙおよびＳｏｆｔｅｒＨａｎｄｏｆｆＤｅｌａｙを使用することができる。このような推定値は、アルゴリズムを統制するのに適切なヒステリシスを選択するために、ユーザ・デバイスの再ポインティング・アルゴリズムによって使用できる。
【００２３】
このように、図１はＥｖＤＯシステムにおけるダウンリンクおよびアップリンクの波形の送受信を示している。図から分かるように、１つのセクタ（セクタ１０２）だけが所与のユーザに対しダウンリンクでトラフィック／データを送信する。しかしながら、ユーザ・デバイスのアクティブ・セット内のすべてのセクタは、コントローラ１１４の選択結合器１１６の出力において、ユーザ・デバイスの送信電力を実行的な１％のＰＥＲまで電力制御するアップリンク電力制御コマンドをそれぞれのダウンリンク送信の中で送る。また、ユーザ・デバイス１１０のアクティブ・セット内の全てのセクタは、それぞれのダウンリンク送信においてリバース・アクティビィティ・コマンドを送り、ユーザ・デバイスの送信データ・レートを、最大許容可能アップリンク負荷を危険にさらさないレベルへレート制御する。レート制御コマンドは、リバース・アクティビティティ・ビットによって、ユーザ・デバイスのアクティブ・セット内の各セクタによって見られるようなシステム負荷（ＲｏＴ）を制御することができる。そのようなコマンドは、特定のセクタによって見られるシステム負荷が、所望のしきい値を超えたかを示す単一のビットを備える。
【００２４】
電力およびレート制御コマンドを解釈するために、異なるルールが使用されうることに注目されたい。ＥｖＤＯエア・インタフェースは、電力制御コマンドおよびリバース・アクティビティ・コマンドを受信すると、ユーザ・デバイスが従う必要があるルールを特定する。要するに、ルール“ＯＲ  ｏｆ  ｄｏｗｎｓ”が、電力制御コマンドに使用される。このルールは、“ｄｏｗｎ”電力制御コマンドを示す単一セクタが存在する限り、少なくともそのセクタは、ユーザ・デバイス送信を適切に受信することができるので、ユーザ・デバイスは、その送信電力を低減するものとする。一方、リバース・アクティビティ・コマンドには“ＯＲ  ｏｆ  ｂｕｓｙ”が適用される。同様に、このルールは、システム負荷が非常に高いことを示す単一セクタが存在する限り、ユーザ・デバイスは、幾つかの手順を開始し、その送信レートを低減し、もって、課せられたシステム負荷を実質的に低減するだろう。
【００２５】
図２は、ＵＭＴＳ  ＴＤＤ規格にしたがって、ＵＭＴＳ  ＴＤＤ通信環境における通信を容易にするシステムの例示である。現在のＵＭＴＳ  ＴＤＤシステムは、規格が書かれ、加入者ユニットおよびインフラストラクチャが実現される方式によって、アップリンク・ソフト・ハンドオフを提供しない。この図によれば、第１のネットワークセクタ２０２が、第１の基地局２０４内で示され、第２の基地局２０８内の第２のネットワークセクタ２０６とオーバラップする。ユーザ・デバイス２１０は、セクタ２０２とセクタ２０６とがオーバラップする領域２１２内に示されている。この図によれば、セクタ２０２は、ユーザ・デバイス２１０のサービング・セクタであるため、図１に関して説明したキューと同様のキュー２１６を備えるコントローラ２１４からダウンリンク・データを送信する。コントローラ２１４は、キュー２１６を介して、セクタ２０２および／または基地局２０４に関連付けられた別のキュー２２４にダウンリンク・パケット・データ２１８を送信する。続いて、ダウンリンク情報が、ダウンリンク・データおよびアップリンク電力制御情報を備える信号２２０によってサービング・セクタの基地局２０４からユーザ・デバイス２１０へ送信される。次いでユーザ・デバイス２１０は、アップリンク２２２において情報を送信する。アップリンク２２２では、サービング・セクタ特有のスクランブル符号でデータを送信することができる。したがって、信号２２２は基地局２０４および基地局２０８の両方に送信されるように図示されているが、基地局２０４（例えば、サービング・セクタの基地局）だけがアップリンク・データ送信を復号する。
【００２６】
ＵＭＴＳ  ＴＤＤシステムでの送受信の主な特徴は、ユーザ・デバイスでのデータ送受信において使用されるスクランブル符号にある。これらの符号は一般に１６チップ長であり、システム内の各セクタが送信用に割り当てられたユニークなスクランブル符号を有することができるようにセクタを完全に定義する。したがって、セクタ２０２からのダウンリンク送信に使用される同一のスクランブル符号をユーザ・デバイス２１０用の送信に使用することができる。
【００２７】
図２から分かるように、所与の時間にネットワーク側とユーザ・デバイス２１０を接続しているダウンリンクおよびアップリンクには単一のリンクがある。このことは、ユーザ・デバイス２１０がセクタ２０２および２０６の両方の有効範囲領域にあるにもかかわらず言えることである。このような従来のＵＭＴＳシステムにおいては、（ＥｖＤＯシステムと反して）アップリンクにはソフタ・ハンドオフはなく、ユーザ・デバイスの送信電力またはレートの調節のためのマルチセクタ電力制御またはレート制御もない。スクランブル符号が送信に使用されるセクタは、「公称セクタ」と呼ぶことができ、これは典型的なＵＭＴＳ  ＴＤＤ通信環境のユーザ・デバイス２１０に関連する唯一のセクタである。アドバンスト・マルチ・ユーザ検出（Advanced multi-user detection：ＡＭＵＤ）技術は、公称セクタ以外のセクタによるユーザ・デバイス送信の受信を可能にできる。さらに、ユーザ・デバイスが使用するスクランブル符号とは別のスクランブル符号を持つセクタであるが、ユーザ・デバイスの波形を受信し復調しようとするセクタは、「ＡＭＵＤセクタ」と呼ぶことができる。
【００２８】
ユーザ・デバイスの送信をセクタ２０６が復調および復号するために、ユーザ・デバイス２１０は、セクタ２０６に特有なスクランブル符号を用いて送信しなければならない。１セクタよりも多いセクタを介した通信を同時に実行するユーザ・デバイス実施は、以下の２つのシナリオに従ってなされる。第１のシナリオによれば、ユーザ・デバイスは、セクタそれぞれのスクランブル符号の各々を用いてスクランブルされたデータを送信することができる。これは、１より多い変調器を必要とし、１より多いセクタにおいてアップリンク・リソースを利用するユーザ・デバイスを必要とする。しかしながら、そのようなシナリオは、ユーザ・デバイス内に複数の変調器を適用することは、ユーザ・デバイスに関連付けられたリンク・バジェットに不利益になりうるという点において非現実的である。例えば、２つのセクタと同時に通信しており、その間に関連付けられたそれぞれのスクランブル符号を用いるユーザ・デバイスは、アップリンク・バジェットを３ｄＢ低減することができる。
【００２９】
第２のシナリオによれば、特定のスクランブル符号を用いるユーザ・デバイス送信は、スクランブル符号が割り当てられるセクタによってのみならず、ユーザ・デバイスの送信を受信することができるセクタによっても復調することができる。このシナリオでは、セクタは、そのスクランブル符号に割り当てられた全てのユーザ・デバイスから波形を、その境界において見ることができ、別のセクタのスクランブル符号を用いるユーザ・デバイスとともに受信する。
【００３０】
図３は、本願明細書で開示される１または複数の実施形態と併せて使用できるような多元接続無線通信システム３００を示す図である。３つのセクタで構成される基地局３０２は、多数のアンテナ・グループ、すなわちアンテナ３０４および３０６を含む１つ目のグループ、アンテナ３０８および３１０を含む２つ目のグループ、ならびにアンテナ３１２および３１４を含む３つ目のグループを含む。この図によると、各アンテナ・グループにつき２つのアンテナだけが示されているが、これよりも少ないまたは多いアンテナを各アンテナ・グループで使用してもよく、送信アンテナと受信アンテナのセットの数が等しくなくてもよい。例えば、あるセクタまたはセルに２つの受信アンテナと１つの送信アンテナを使用しても、この逆であってもよく、または３つの送信アンテナと２つの受信アンテナを使用するなどでもよい。さらに、セクタ同士がそれぞれ同じ数のアンテナを有する必要もない。当業者であれば分かるように、例えば、第１のセクタは受信アンテナ２つと送信アンテナ２つを使用し、第２のセクタは受信アンテナ２つと送信アンテナ１つを使用し、第３のセクタは受信アンテナ１つと送信アンテナ１つを使用するなど、送信アンテナおよび／または受信アンテナの数およびタイプの組み合わせを、所与のセクタで任意に使用することができる。
【００３１】
モバイル・デバイス３１６は、アンテナ３１２および３１４と通信する。ここでアンテナ３１２および３１４は、順方向リンク３２０によってモバイル・デバイス３１６へ情報を送信し、逆方向リンク３１８によってモバイル・デバイス３１６からの情報を受信する。モバイル・デバイス３２２は、アンテナ３０４および３０６と通信する。ここでアンテナ３０４および３０６は、順方向リンク３２６によってモバイル・デバイス３２２へ情報を送信し、逆方向リンク３２４によってモバイル・デバイス３２２からの情報を受信する。
【００３２】
通信を行うよう指定されたアンテナの各グループおよび／またはエリアは、しばしば基地局３０２のセクタと称される。図示された実施形態では、アンテナのグループは、基地局３０２によってカバーされるエリアのセクタ中のモバイル・デバイスと通信するように指定されている。順方向リンク３２０および３２６での通信において、基地局３０２の送信中のアンテナは、別々のモバイル・デバイス３１６および３２２用の順方向リンクのＳＮ比を改善するために、ビーム・フォーミング技術を使用できる。さらに、基地局が、有効範囲領域に無作為に点在するモバイル・デバイスへの送信にビーム・フォーミングを使用していると、有効範囲領域内のすべてのモバイル・デバイスへの送信に単一のアンテナを使用する基地局に比べ、隣接するセル／セクタのモバイル・デバイスへの干渉が少なくなる。基地局は、端末との通信に使用される固定局であればよく、アクセスポイント、ノードＢまたは他の用語で称されてもよい。モバイル・デバイスも、移動局、ユーザ機器（ＵＥ）、無線通信デバイス、端末、アクセス端末、ユーザ・デバイス、または他の用語で称されてもよい。当業者であれば分かるように、本願明細書に記載のユーザ・デバイスは、例えば、セル式電話、スマートフォン、ラップトップ、ＰＤＡ，ハンドヘルド通信機器、ハンドヘルド計算器、衛星ラジオ、全地球測位システム、または無線ネットワークで通信する他の適切なデバイスとすることができる。
【００３３】
図４乃至図６を参照して、無線通信環境においてＶＡＳを生成することおよび／またはソフト・ハンドオフをサポートすることに関する方法が例示される。例えば、方法は、ＵＭＴＳ  ＴＤＤ無線環境、ＯＦＤＭ環境、ＯＦＤＭＡ環境、ＣＤＭＡ環境、ＴＤＭＡ環境、ＴＤＤ環境、ＳＤＭＡ環境、または他の適切な無線環境におけるソフト・ハンドオフの実行に関する。説明を簡単にするために、これらの方法は一連の動作として示され説明されているが、１または複数の実施形態に従ったいくつかの動作は、ここで示され説明されるものとは別の順序および／または他の動作と同時に発生し得るため、これらの方法は動作の順序に限定されないことは理解および認識すべきである。例えば、方法が状態図のように一連の相互関係のある状態または状況として別に示されてもよいことは当業者であれば理解および認識できるであろう。さらに、図示された動作すべてが１または複数の実施形態に従った方法を実施する必要があるわけではない。
【００３４】
図４は、１または複数の局面にしたがって、仮想アクティブ・セット（ＶＡＳ）を用いて、ＵＭＴＳ  ＴＤＤ無線通信環境におけるソフト・ハンドオフをイネーブルする方法４００を例示する。ＶＡＳは、与えられたユーザ・デバイスの送信を復調および復号することを試みるセクタのリストであり、ユーザ・デバイス自身と同様、ネットワーク側でも生成され、知られている。公称セクタは、ユーザ・デバイスが信号を送信するために、そのスクランブル符号を適用するセクタであり、ユーザ・デバイスのＶＡＳ内にリストされる。その他のセクタ（ＡＭＵＤセクタ）は、（例えば、ユーザ・デバイスが、そのようなセクタの有効範囲領域に接近したり、入ったりして）ユーザ・デバイスからの送信を受信できるようになるので、そのようなセクタは、ユーザ・デバイスのＶＡＳへ追加される。上記を考慮して、４０２では、ユーザ・デバイスのＶＡＳが生成および／または定義され、ユーザ・デバイスが、複数のセクタの有効範囲領域を横切ると更新される。正式にセクタへ属している訳ではないユーザ・デバイスを復調および復号するセクタ機能は、ＡＭＵＤアルゴリズムによって試みられる（例えば、この場合、セクタは、自身以外のセクタ内のユーザ・デバイスを共に復調することを試みる）。ＶＡＳは、ＶＡＳ内にセクタをリストするユーザ・デバイスからの信号の復調を続ける与えられたセクタの機能に関連するネットワーク側からの測定値を用いて、時間にわたって更新される。４０４では、ユーザ・デバイス送信が、ユーザ・デバイスに関連付けられた公称セクタからのスクランブル符号を用いて実行される。したがって、（ＮｏｄｅＢの）セクタとコントローラ（ＲＮＣ）との間の通信は、システム内の全てのユーザ・デバイスの最新のＶＡＳを維持するように提供される。ユーザ・デバイスのＶＡＳに変更がある場合、ネットワークは、それについて、シグナリングによってユーザ・デバイスに通知することができる。
【００３５】
４０６では、ＶＡＳ内の全セクタに、ダウンリンクとアップリンクとの両方での通信のためにユーザ・デバイスへ割り当てられたリソースおよびチャネル（例えば、タイム・スロット、チャネル化符号等）に関する情報が提供される。このように、ＡＭＵＤセクタは、ユーザ・デバイスから送信された場合、どのチャネルが受信および復調されるかに関する情報を、ＡＭＵＤセクタがリストされたＶＡＳに保持することができる。したがって、ＶＡＳの概念は、４０８で起こりうるように、与えられたユーザ・デバイスのＶＡＳ内の全てのセクタが、ユーザ・デバイスからなされた送信の受信および復調を試みることが期待されているという点で代償的（reciprocal）である。同様に、ユーザ・デバイスは、そのＶＡＳ内の全てのセクタからの送信の受信を試みることが期待されている。したがって、ユーザ・デバイス側では、全ての送信は、その公称セクタのオリジナルのリソース割当およびスクランブル符号を用いて実行され、ユーザ・デバイスは、そのＶＡＳ内の全てのセクタからの電力制御コマンドおよびリバース・アクティビティ・コマンドの受信および復調を行うことができる。ＡＭＵＤセクタからのリバース・アクティビティ・コマンドおよび電力制御コマンドの送信は、そのセクタが、対応するＶＡＳ内にリストされているユーザ・デバイスの電力およびレート制御情報の通信のために、ダウンリンク・リソース（例えば、タイム・スロット、チャネル符号等）の追加割当を必要とする。
【００３６】
図５は、本明細書に記載の１または複数の局面にしたがって、ＶＡＳを用いて、ＵＭＴＳ  ＴＤＤ通信環境において情報を通信する方法５００を例示する。５０２において、ネットワークの観点からは、ユーザ・デバイスのＶＡＳにおける全てのセクタは、ユーザ・デバイスへのリバース・アクティビティ・コマンドおよび／またはメッセージと同様、電力制御コマンドおよび／またはメッセージを送信することができる。各セクタにおけるダウンリンク情報の送信は、その関連するスクランブル符号と整合している。さらに、ユーザ・デバイスのＶＡＳ内の全てのセクタは、ユーザ・デバイスからの送信の受信および復調を試みることができる。さらに、ユーザ・デバイスの公称セクタ内のチャネル割当およびリソース割当を知っている。５０４では、ユーザ・デバイスは、このユーザ・デバイスの公称セクタに関連付けられたスクランブル符号を用いてデータを送信することができる。５０６では、ダウンリンク・ソフト・ハンドオフが生じるイベントにおいて、ユーザ・デバイスの公称セクタが変化するであろう。そして、ユーザ・デバイスは、新たな公称セクタのスクランブル符号を用いて送信を開始することができる。そのような情報は、リソース／チャネル情報等を更新するために、ユーザ・デバイスのＶＡＳ内の全てのセクタと（例えば、ネットワーク・コントローラ等を介して）共有することができる。
【００３７】
ユーザ・デバイスにおいて、電力コマンドおよびレート・コマンドを解釈するためのルールは、例えば、電力制御コマンドの場合の“ＯＲ  ｏｆ  ｄｏｗｎｓ”、リバース・アクティビティ・コマンドの場合の“ＯＲ  ｏｆ  ｂｕｓｙ”のように、ＥｖＤＯシステムにおける場合と同じ原理に従うことができる。さらに、記述したアルゴリズムは、ダウンリンク・ハンドオフが「公称セクタ」として識別されたセクタを変えることができるという事実を除いては、何れにせよ、規則的なダウンリンク・ハンドオフと干渉しない。「公称セクタ」を変えることによって、ユーザ・デバイスは、新たな「公称セクタ」に対応するチャネル／リソースおよびスクランブル符号を利用し始めるだろう。
【００３８】
図６は、本明細書に記載の様々な局面にしたがって、ＵＭＴＳ  ＴＤＤ無線通信環境におけるユーザ・デバイスのための、電力およびレート制御情報の送信のための専用の物理チャネルを生成する方法６００を例示する。６０２では、与えられたセクタをＶＡＳ内にリストしているユーザ・デバイスの電力およびレート制御情報の送信のために物理チャネルが生成される。ただし、このセクタは、ユーザ・デバイスの「公称セクタ」ではない。６０４では、システム負荷の精細調整制御およびシステムグラニュラリティを増加するために、複数レベルのリソース占有（例えば、送信電力および送信レートのうちの少なくとも１つに関連するリソース）を、例えば、「１／２キャパシティ占有」、「１／４キャパシティ占有」、「３／４キャパシティ占有」のような中間レベル、または、その他任意の数の中間レベルと同様に、ｂｕｓｙ／ｎｏｔ  ｂｕｓｙのように定義することができる。６０６では、新たなチャネルが６０２において生成されたセクタが、リバース・アクティビティ情報および／またはレート制御情報のみならず、電力制御情報を、それぞれのＶＡＳ内にリストされたセクタを有する全てのユーザ・デバイスへ通信するために、新たなチャネルを適用することができる。
【００３９】
６０６では、通信された電力制御情報は、ＵＭＴＳ  ＴＤＤ  ＬＣＲ内で特定されるような単一のｕｐ／ｄｏｗｎコマンドであるか、または、ＵＭＴＳ  ＴＤＤ  ＨＣＲでなされるようなメッセージでありうる。同様に、６０６において通信されたレート制御情報はまた、単一のｂｕｓｙ／ｎｏｔ  ｂｕｓｙコマンドでありうるか、または、システム負荷の精細制御のために幾つかのレベルを持つことができる。レート制御情報はまた、新たな物理チャネルの一部として、または、メッセージの一部として送信されることが可能である。レート制御を行なう場合、システム負荷に関連付けられうる局面の１つは、現在のレートにおいて、ユーザ・デバイス情報の受信および復調を行うセクタの機能である。その点に関し、特に、ＡＭＵＤセクタによるユーザ・デバイス送信全体の実質的な受信のために利用可能な次元のような要因が、レート制御情報を生成する場合に考慮される。実際、ＡＭＵＤアルゴリズムの効率的な実施は、セクタの、その信号空間（例えば、セクタのスクランブル符号以外のスクランブル符号を用いたユーザ・デバイス）の外側のセクタを受信および復調する機能を制限しうるので、レート制御情報は、それをユーザ・デバイスへ示すことができる。
【００４０】
電源制御コマンドおよびリバース・アクティビティ・コマンドの送信の物理的チャネル・リソースに関する位置は、本明細書で記述された方法とは無関係である。したがって、ＶＡＳがセクタを含んでいる全てのユーザ・デバイスのために、電力およびレート制御を伝送する新たな物理チャネルを生成することによって、このアルゴリズムの効率を大幅に高めることができる。あるいは、メッセージ・ベースの実施は、メッセージの生成を容易にするために、各特有なユーザ・デバイスの電力およびレート情報をコントローラへ通信する、各セクタを備えることができる。ネットワーク・コントローラに関連付けられたセクタの各々のメッセージは、エアを介したユーザへの送信のためにセクタへ配信される。あるいは、ユーザ・デバイスのＶＡＳ内の全てのセクタからの電力およびレート制御情報が、ユーザ・デバイスの「公称セクタ」を介して送信されるメッセージまたは複数のメッセージで運ばれる。
【００４１】
図７は、様々な局面にしたがって、ＵＭＴＳ  ＴＤＤ無線通信環境におけるシステム負荷を管理する方法７００を例示する。７０２では、電力およびレート制御情報が、ユーザ・デバイスのＶＡＳ内の全てのセクタ（例えば、基地局）からユーザ・デバイスへ提供される。７０４では、ユーザ・デバイスのＶＡＳ内にリストされた全てのセクタが、図面に関連させて説明したように、ユーザ・デバイスからの送信の受信および復調を試みることができる。７０６では、与えられたセクタにおける干渉が、予め定めたしきい値を超えているかに関する判定がなされる。７０６では、セクタが、所望よりも高いレベルの干渉を経験していると判定された場合、７０８において、攻撃しているユーザ・デバイス（例えば、しきい値を超える干渉レベルに寄与しているユーザ・デバイス）は、干渉レベルを許容可能なレベルへ戻すことを促進するために、送信電力および／またはレートを低減させることができる。そのような電力および／またはレート低減は、領域コントローラにシグナリングすることによって達成される。領域コントローラは、攻撃しているユーザ・デバイスへ送信されている電力制御信号および／またはレート制御信号を変えるために、攻撃しているユーザ・デバイスのＶＡＳ内にリストされた全てのセクタにシグナルすることができる。
【００４２】
関連する局面によれば、攻撃されているセクタ自身が、７０８において、攻撃しているユーザ・デバイスに対し、送信電力を下げ、干渉レベルを、予め定めた許容可能なしきいレベルより下に戻すよう、シグナルを送ることができる。この局面によれば、干渉情報は、コントローラを通じて送信される必要はない。なぜなら、最も負荷の高いセクタ（例えば、攻撃されているセクタ）は、７０８において、“ｂｕｓｙ”ビット・コマンドをブロードキャストすることができるからである。それは、攻撃しているユーザ・デバイスによって受信され、（例えば、“ＯＲ  ｏｆ  ｂｕｓｙ”ルールによって）その送信データ・レートが低減される。これは、当業者によって理解されるであろう。
【００４３】
７０６において、干渉レベルが、予め定めたしきいレベルを超えないと判定された場合、この方法は、７０２に戻り、電力コマンドおよび／またはレート制御コマンドが、調節されることなく、送信され続ける。このように、方法７００は、複数のセクタおよび／または基地局を介して、その間の許容できない干渉レベルを緩和するために、複数のユーザ・デバイスのフィードバック制御を提供することを容易にすることができる。さらに、本図面および前の図面に関連して説明したように、改良されたマルチ・ユーザ検出技術が、当業者によって理解されるように、線形ブロックＭＭＳＥ実施によって、あるいは、その他の線形または非線形適応スキームによって適用され、干渉キャンセルが促進されることが認識されよう。
【００４４】
本明細書に記載された１または複数の実施形態および／または方法に従って、ユーザ・デバイスのソフト・ハンドオフを実行すること等に関し、推論がなされることが認識されよう。本明細書で用いられるように、用語「推論する」（ｉｎｆｅｒ）または「推論」（ｉｎｆｅｒｅｎｃｅ）は、一般に、イベントおよび／またはデータを介して取得されるような観察結果のセットから、システム、環境、および／またはユーザの状態を推論すること、あるいはそれに関する理由付けを行うプロセスを称する。推論は、例えば、特定の内容または動作を識別するために適用されるか、または、状態にわたる確率分布を生成することができる。推論は、確率論、すなわち、データおよびイベントの考慮に基づいて、興味のある状態にわたって確率分布を計算することでありうる。推論はまた、イベントおよび／またはデータのセットから、高次レベルのイベントを構成するために適用される技術を称することもできる。そのような推論によって、観察されたイベントおよび／または格納されたイベントデータのセット、イベントが、時間的に近接して相関付けられているか否か、イベントおよびデータが、１または幾つかのイベントソースおよびデータソースに由来するかから、新たなイベントまたは動作が構築される。
【００４５】
一例によれば、上述した１または複数の方法は、ユーザ・デバイスのアップリンクにおいてソフト・ハンドオフを行うことに関する推論を行うことを含む。例えば、ユーザ・デバイスのＶＡＳに含まれるセクタに関し、与えられたセクタのビーコン信号強度が、ユーザ・デバイスのＶＡＳ内にセクタが含まれていることを保証するのに十分であるかに関する推論がなされる。この例によれば、ユーザ・デバイスからの信号を受信し復号することが潜在的に可能なセクタは、そのビーコン信号がモニタされ、その信号が、予め定めたしきいレベルを超える強度を示すかに関する推論がなされる。予め定めたしきいレベルを超えるのであれば、セクタは、ユーザ・デバイスのＶＡＳ内に、ユーザ・デバイスと通信可能なセクタとして含まれうる。セクタのビーコン信号強度が、予め定めたしきい値よりも低いのであれば、例えば、ユーザ・デバイスの移動方向に基づいて（この場合、例えば、ユーザ・デバイスの以前にマップされた位置情報は、ユーザ・デバイスが、問題となっているセクタに向かっていることを示している）、それでもやはりこのセクタをユーザ・デバイスのＶＡＳ内に含めるかに関する推論がなされる。
【００４６】
別の例によれば、どのセクタがユーザのＶＡＳに含まれるかに関して、領域コントローラによって推論がなされる。そのような推論は、例えば、１または複数の潜在的なＶＡＳセクタにおける通信トラフィックに基づくことができる。これによって、キャパシティ・レベルのトラフィックを経験するセクタを、セクタの端部において、ユーザ・デバイスのＶＡＳから一時的に除外することができる。同様の例において、コントローラは、与えられた時間において、強い通信機能および／またはシグナルを有する他のセクタの存在に基づいて、１または複数のセクタを除外することに関し推論を行うことができる。先の例は、本質において例示的であり、本明細書に記述された様々な実施形態および／または方法に関連して推論がなされる方法、または、なされうる推論の数を制限することは意図されていないことが理解されよう。
【００４７】
図８は、本願明細書に記載の１または複数の実施形態に従って、ＵＭＴＳ  ＴＤＤ無線通信環境において、アップリンク・ソフト・ハンドオフを実行することを容易にするユーザ・デバイス８００を示す図である。ユーザ・デバイス８００は、例えば受信アンテナから信号を受信し、受信した信号に対し一般的な動作（例えば、フィルタリング、増幅、ダウンコンバートなど）を実行し、サンプルを得るために調整された信号をデジタル化する受信器８０２を備える。復調器８０４は、各シンボルに追加された周期的プレイフィクスを除去することができる。また、受信パイロット・シンボルを、チャネル推定のためにプロセッサ８０６へ提供するのみならず、受信シンボルを、各シンボル期間のために、サブバンドのために取得することができる。
【００４８】
プロセッサ８０６は、受信器コンポーネント８０２によって受信された情報を分析し、かつ／または送信器コンポーネント８１６によって送信する情報の生成を専用で行うプロセッサ、ユーザ・デバイス８００の１または複数のコンポーネントを制御するプロセッサ、および／または受信器８０２によって受信された情報の分析と送信器８１６によって送信する情報の生成との両方を行って、ユーザ・デバイス８００の１または複数のコンポーネントを制御するプロセッサとすることができる。
【００４９】
ユーザ・デバイス８００はさらに、プロセッサ８０６に動作可能に接続され、ユーザ・デバイス８００のＶＡＳ８１０に関連する情報、ＶＡＳ８１０内のセクタ、セクタ選択プロトコルおよび／またはアルゴリズム、ユーザ・デバイス８００の公称セクタに関連するスクランブル符号情報、または本願明細書に記載のように、ユーザ・デバイス８００のためのアップリンクにおけるソフト・ハンドオフを容易にすることに関連するその他の適切な情報を格納するメモリ８０８を備えることができる。メモリ８０８はさらに、ユーザ・デバイス８００が、本願明細書に記載されたようなソフト・ハンドオフを容易にするために、格納されたプロトコル、アルゴリズム、情報を使用できるように、セクタ識別情報、指定（例えば、サービング、公称、ＡＭＵＤなど）等に関連する情報を格納できる。さらに、所与のセクタ（例えば、基地局）がユーザ・デバイス８００からの信号の復調を続ける能力に関して、ネットワーク側からの測定によって、メモリ８０８を経時的に更新できる。例えば、コントローラ（図示せず）があれば、ネットワーク内の各ユーザ・デバイス用のＶＡＳ８１０を最新のものに維持でき、ユーザ・デバイス８００の現在のサービング・セクタを介してメモリ８０８を更新することができる。さらに、コントローラは、公称セクタなどに割り当てられたスクランブル符号を使用している間、ユーザ・デバイス８００とサービング・セクタとの間の通信を容易にするため、ユーザ・デバイス８００に割り当てられたチャネルに関連する情報のほか、公称セクタに割り当てられたリソースに関連する情報をユーザ・デバイス８００のＶＡＳ８１０中のすべてのセクタに提供できる。
【００５０】
当然ではあるが、本願明細書に記載のデータ格納（例えば、メモリ）コンポーネントは、揮発性メモリまたは不揮発性メモリのいずれか、または揮発性メモリおよび不揮発性メモリの両方を含めることができる。例であり、これに制限されないが、不揮発性メモリには、読出し専用メモリ（ＲＯＭ）、書き込み可能ＲＯＭ（ＰＲＯＭ）、電気的書き込み可能ＲＯＭ（electrically programmable ROM：ＥＰＲＯＭ）、電気的消去可能書き込み可能ＲＯＭ（electrically erasable ROM：ＥＥＰＲＯＭ）、またはフラッシュメモリを含めることができる。揮発性メモリには、外部キャッシュメモリとして動作するランダムアクセスメモリ（ＲＡＭ）を含めることができる。例であり、これに制限されないが、ＲＡＭは、同期ＲＡＭ（synchronous RAM：ＳＲＡＭ）、ダイナミックＲＡＭ（ＤＲＡＭ）、同期ＤＲＡＭ（ＳＤＲＡＭ）、ダブルデータ・レートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクトＲａｍｂｕｓ  ＲＡＭ  （direct Rambus RAM：ＤＲＲＡＭ）のような様々な形式で利用可能である。対象となるシステムおよび方法のメモリ８０８は、これらおよび他の適切なタイプのメモリを備えるものとするが、これらに限定されない。
【００５１】
プロセッサ８０６は更に、メモリ８０８に格納された情報、および／または、プロセッサ８０６によって受信および処理された情報のうちの少なくとも一部に基づいて、１または複数の基地局によるソフト・ハンドオフを容易にすることができるＶＡＳ８１０に接続される。ＶＡＳ８１０は、公称セクタ識別子８１２と動作可能に関連付けられている。公称セクタ識別子８１２もまた、プロセッサ８０６に接続されることが可能であり、ユーザ・デバイス８００から発せされる送信が、ユーザ・デバイスの公称セクタのスクランブル符号を用いてなされることを確認することができる。公称セクタは、ＶＡＳ８１０内に、および、ユーザ・デバイス８００のメモリ８０８内に含まれうる。ユーザ・デバイス８００はさらに、シンボル変調器８１４と、公称セクタ識別子８１２を識別した公称セクタに関連付けられたスクランブル符号を用いて変調信号を送信する送信機８１６とを備える。このように、ユーザ・デバイス８００は、ＵＭＴＳ  ＴＤＤ通信環境において、ＶＡＳ８１０内のセクタ間のアップリンク・ソフト・ハンドオフを容易にすることができる。
【００５２】
図９は、本願明細書に記載の１または複数の態様に従った、ＵＭＴＳ  ＴＤＤ無線通信環境におけるアップリンク・ソフト・ハンドオフを容易にするシステム９００を示す図である。システム９００は、送信アンテナ９０６および受信アンテナ９０８を介して１または複数のユーザ・デバイス９０４と通信する基地局９０２を備えるが、１または複数の送受信アンテナを様々な態様とともに使用することができる。基地局９０２は、受信アンテナ９０８から情報を受信し、受信した情報を復調する復調器９１２と動作可能に関連付けられる受信器９１０を備える。復調されたシンボルは、図８に関連して上記で説明したプロセッサと同様のプロセッサ９１４によって分析できる。プロセッサ９１４は、メモリ９１６に接続される。メモリ９１６には、ユーザ・デバイス９０４に関連する情報、各ユーザ・デバイス９０４のＶＡＳ、各ＶＡＳ中の公称セクタおよび任意のＡＭＵＤセクタを含めた各ユーザ・デバイスのＶＡＳ中のセクタ識別情報のほか、このセクタ用のスクランブル符号、タイム・スロット情報およびその類、リソース割り当て、および／または基地局９０２が、本願明細書に記載したように、アップリックにおけるソフト・ハンドオフを実行することを可能にすることに関連するその他任意の適切な情報が格納される。
【００５３】
プロセッサ９１４はさらに、ＶＡＳアナライザ９０８に接続されている。ＶＡＳアナライザ９１８は、ユーザ・デバイスＶＡＳに関連する情報、その間の最新値、ユーザ・デバイス９０４に割り当てられたリソース、および／または、基地局９０２がリストされている各ユーザ・デバイスのＶＡＳにリストされたその他のセクタ等に関連する情報を処理し、基地局９０２内の変調器９０２および／または送信機９２４が、通信信号を適切に変調し、送信アンテナ９０６を介してユーザ・デバイス９０４に適切に送信できるようにする。このような情報に基づいて、基地局９０２は、その関連するスクランブル符号を使用して、ユーザ・デバイス９０４に割り当てられたチャネルによって、ユーザ・デバイス９０４へ送信することができる。ユーザ・デバイス９０４へ割り当てられたチャネルは、オーバヘッドを最小にするために、その他のユーザ・デバイスと共有されうる。
【００５４】
さらに、ＶＡＳアナライザ９１８は、しきい値モニタ９２０と動作可能に関連付けられる。しきい値モニタ９２０は、基地局９０２によってサービス提供されるセクタ内の干渉レベルを連続的に評価および／または査定することができる。例えば、そのＶＡＳ内の基地局９０２を聞いているユーザ・デバイスは、基地局９０２が復調を試みることができるが、ある電力レベルにおいては、基地局９０２のために極めて不利益になる（例えば、あるレベルでは、干渉レベルが、許容可能なしきい値レベルを超える）というシグナルを送信することができる。ＶＡＳアナライザ９１８は、どのユーザ・デバイスが、攻撃的な送信に寄与しているかを判定することができる。基地局９０２は、ユーザ・デバイスのＶＡＳ内の全ての基地局に対し、ユーザ・デバイスの送信電力を低減せよという電力コマンドシグナル（および／またはレート制御情報）を送るようにシグナリングすることができる。このように、攻撃しているユーザ・デバイスは、アップリンクにおけるユーザ・デバイスの送信のフィードバック制御を可能にするために、シグナルの受信および復調を行うことが可能な全てのセクタによって集合的にシグナルされうる。
【００５５】
当然ではあるが、基地局９０２は、任意の所与の時点で、１または複数のユーザ・デバイス９０４のＶＡＳのサービング局、公称局、またはＡＭＵＤ局となることができ、コントローラ（図示せず）からの指示があると、および／またはユーザ・デバイスによってサービング・セクタ基地局として選択されると、これらの間で切り替わることができる。さらに、基地局９０２は、基地局９０２がリストされているＶＡＳを有するすべてのユーザ・デバイスからの信号の受信および復号を試みることができる。さらに、ＶＡＳにリストされているすべてのＡＭＵＤセクタのこのような基地局は、このような各ＡＭＵＤセクタの特定のユーザ・デバイスの公称セクタにおいてのチャネル割り当ておよびリソース割り当てを認識することができる。このような情報を用いて、ＡＭＵＤセクタは、ＶＡＳ内のＡＭＵＤセクタを聞いている与えられたユーザ・デバイスへ電力制御コマンドおよび／またはリバース・アクティビティ・コマンドを送信することができる。そして、そのようなユーザ・デバイスからの送信の受信および復調を行うことができる。
【００５６】
図１０は、無線通信システム１０００の例を示している。無線通信システム１０００では、簡略化のため１つの基地局と１つの端末が示されている。しかし、当然ではあるが、システムには、１または複数の基地局および／または１または複数の端末を含めることができ、追加される基地局および／または端末は、以下に記載の例としての基地局および端末とほぼ同様のものとすることも別のものとすることもできる。さらに、当然ではあるが、この基地局および／または端末は、これらの間の無線通信を容易にするために、本願明細書に記載のシステム（図８から図９）および／または方法（図４から図７）を使用することができる。
【００５７】
ここで図１０を参照すると、アクセスポイント１００５でのダウンリンクにおいて、送信（ＴＸ）データ・プロセッサ１０１０は、トラフィック・データを受信し、フォーマットし、符号化し、インタリーブし、変調し（またはシンボルマッピング（symbol maps）し）、変調シンボル（「データ・シンボル」）を提供する。シンボル変調器１０１５は、このデータ・シンボルおよびパイロット・シンボルを受信して処理し、シンボルのストリームを提供する。シンボル変調器１０２０は、データおよびパイロット・シンボルを多重化し、これらを送信器ユニット（ＴＭＴＲ）１０２０に提供する。各送信シンボルは、データ・シンボル、パイロット・シンボル、またはゼロの信号値であればよい。パイロット・シンボルは、各シンボル期間に連続して送られればよい。パイロット・シンボルは、周波数分割多重化（frequency division multiplexed：ＦＤＭ）、直交周波数分割多重化（orthogonal frequency division multiplexed：ＯＦＤＭ）、時分割多重化（Time division multiplexed：ＴＤＭ）、周波数分割多重化（ＦＤＭ）、または符号分割多重化（code division multiplexed：ＣＤＭ）することができる。
【００５８】
ＴＭＴＲ１０２０は、シンボルのストリームを受信して１または複数のアナログ信号に変換し、さらに無線チャネルを通る伝送に適したダウンリンク信号を生成するために、このアナログ信号を調整（例えば、増幅、フィルタリング、周波数アップコンバート）する。次いで、ダウンリンク信号は、アンテナ１０２５を介して端末に送信される。端末１０３０において、アンテナ１０３５は、ダウンリンク信号を受信し、受信した信号を受信器ユニット（ＲＣＶＲ）１０４０に提供する。受信器ユニット１０４０は、サンプルを得るために、受信した信号を調整（例えば、増幅、フィルタリング、周波数ダウンコンバート）し、この調整された信号をデジタル化する。シンボル復調器１０４５は、受信されたパイロット・シンボルを復調し、チャネル評価のためにこれをプロセッサ１０５０に提供する。シンボル復調器１０４５はさらに、プロセッサ１０５０からダウンリンク用の周波数レスポンス推定を受信し、（送信されたデータ・シンボルの推定である）データ・シンボル推定を得るために、受信された信号に対するデータ復調を実行し、ＲＸデータ・プロセッサ１０５５にこのデータ・シンボル推定を提供する。このＲＸデータ・プロセッサ１０５５は、送信されたトラフィック・データを復元するためにデータ・シンボル推定を復調（すなわち、シンボル・デマッピング（symbol demaps））し、デインタリーブし、復号する。シンボル復調器１０４５およびＲＸデータ・プロセッサ１０５５による処理はそれぞれ、アクセスポイント１００５におけるシンボル変調器１０１５およびＴＸデータ・プロセッサ１０１０による処理と相補的である。
【００５９】
アップリンクでは、ＴＸデータ・プロセッサ１０６０がトラフィック・データを処理し、データ・シンボルを提供する。シンボル変調器１０６５は、このデータ・シンボルを受信し、パイロット・シンボルで多重化し、変調を行い、シンボルのストリームを提供する。次いで、送信器ユニット１０７０は、アンテナ１０３５によってアクセスポイント１００５に送信されるアップリンク信号生成するために、このシンボルのストリームを受信し、処理する。
【００６０】
アクセスポイント１００５において、端末１０３０からのアップリンク信号はアンテナ１０３５によって受信され、サンプルを得るために受信器ユニット１０７５によって処理される。次いでシンボル復調器１０８０は、サンプルを処理し、受信されたパイロット・シンボルおよびデータ・シンボルのアップリンク用の評価を提供する。ＲＸデータ・プロセッサ１０８５は、端末１０３５によって送信されたトラフィック・データを復元するため、データ・シンボル評価を処理する。プロセッサ１０９０は、アップリンクで送信している各アクティブの端末用のチャネル評価を行う。多数の端末は、アップリンクにおいてそれぞれの割り当てられたパイロット・サブバンドのセットでパイロットを同時に送信でき、パイロット・サブバンドのセットは組み合わせられてもよい。
【００６１】
プロセッサ１０９０および１０５０は、アクセスポイント１００５および端末１０３０それぞれでの操作を指示（例えば、制御、調整、管理など）する。それぞれのプロセッサ１０９０および１０５０は、プログラム・コードおよびデータを格納するメモリ・ユニット（図示せず）に関連付けることができる。プロセッサ１０９０および１０５０は、アップリンクおよびダウンリンクそれぞれの周波数およびインパルス応答評価を導き出す演算を行うこともできる。
【００６２】
多元接続システム（例えば、ＦＤＭＡ、ＯＦＤＭＡ、ＣＤＭＡ、ＴＤＭＡなど）では、多数の端末が同時にアップリンクで送信することができる。このようなシステムでは、異なる端末間でパイロット・サブバンドを共有することができる。このチャネル評価技術は、各端末のパイロット・サブバンドが動作帯域全体にわたる（場合によってはバンド端を除く）場合に使用すればよい。このようなパイロット・サブバンド構造は、各端末の周波数ダイバーシティを得るためには望ましいであろう。本願明細書に記載の技術は、様々な手段によって実施できる。例えば、これらの技術は、ハードウェア、ソフトウェア、またはそれらの組み合わせに実装されてもよい。ハードウェア実装では、チャネル評価に使用される処理ユニットは、１または複数の特定用途向け集積回路（application specific integrated circuits：ＡＳＩＣｓ）、デジタル信号プロセッサ（digital signal processors：ＤＳＰｓ）、デジタル信号処理デバイス（digital signal processing devices：ＤＳＰＤｓ）、プログラマブル・ロジック・デバイス（programmable logic devices：ＰＬＤｓ）、フィールド・プログラマブル・ゲートアレー（field programmable gate arrays：ＦＰＧＡｓ）、プロセッサ、コントローラ、マイクロコントローラ、マイクロプロセッサ、本願明細書に記載の機能を実行するように設計された他の電子ユニット、またはそれらの組み合わせに実装すればよい。ソフトウェアでは、実装は、本願明細書に記載の機能を実行するモジュール（例えば、プロシージャ、機能など）によって行うことができる。ソフトウェア・コードは、メモリ・ユニットに格納されればよく、プロセッサ１０９０および１０５０によって実行されればよい。
【００６３】
ソフトウェア実装では、本願明細書に記載の機能を実行するモジュール（例えば、プロシージャ、機能など）とともに本願明細書に記載の技術を実装することができる。ソフトウェア・コードは、メモリ・ユニットに格納されればよく、プロセッサによって実行されればよい。メモリ・ユニットは、プロセッサ内部またはプロセッサ外部に実装すればよく、外部に実装される場合、当技術分野で周知の様々な手段を介してプロセッサに通信可能に接続できる。
【００６４】
上記の記載事項は、１または複数の実施形態の例を含むものである。当然ながら、上記の実施形態を記載する目的のためにすべての考えられ得るコンポーネントまたは方法の組み合わせを記載することは不可能であるが、このような実施形態のさらに種々の組み合わせおよび入れ換えが可能であることは、当業者であれば分かることである。したがって、記載された実施形態は、添付の特許請求の範囲の精神および範囲内に収まるこのようなすべての改変、変更および変形を含むものとする。さらに、発明を実施するための最良の形態または特許請求の範囲のいずれかにおいて使用される用語「含む（includes）」の範囲について、用語「備える（comprising）」が特許請求の範囲において遷移語として使用される際に包括的であると解釈されるのと同じく包括的な用語であるものとする。
【図面の簡単な説明】
【００６５】
【図１】図１は、アップリンク・ソフト・ハンドオフがｃｄｍａ２０００  １ｘエボリューション・データ・オプティマイズド（ＥｖＤＯ）無線通信環境でイネーブルされるシステムを例示する。
【図２】図２は、ＵＭＴＳ  ＴＤＤ規格にしたがって、ＵＭＴＳ  ＴＤＤ通信環境における通信を容易にするシステムの例示である。
【図３】図３は、１または複数の実施形態にしたがった多元接続無線通信システムの例示である。
【図４】図４は、１または複数の局面にしたがって、仮想アクティブ・セット（ＶＡＳ）を用いて、ＵＭＴＳ  ＴＤＤ無線通信環境におけるアップリンク・ソフト・ハンドオフをイネーブルする方法を例示する。
【図５】図５は、本明細書に記載の１または複数の局面にしたがって、ＶＡＳを用いて、ＵＭＴＳ  ＴＤＤ通信環境において情報を通信する方法を例示する。
【図６】図６は、本明細書に記載の様々な局面にしたがって、ＵＭＴＳ  ＴＤＤ無線通信環境におけるユーザ・デバイスのための、電力およびレート制御情報の送信のための専用の物理チャネルを生成する方法を例示する。
【図７】図７は、様々な局面にしたがって、ＵＭＴＳ  ＴＤＤ無線通信環境におけるシステム負荷を管理する方法を例示する。
【図８】図８は、本明細書に記載の１または複数の実施形態にしたがって、ＵＭＴＳ  ＴＤＤ無線通信において、アップリンク・ソフト・ハンドオフを実行することを容易にするユーザ・デバイスを例示する。
【図９】図９は、本明細書に記載の１または複数の局面にしたがって、ＵＭＴＳ  ＴＤＤ無線通信環境におけるアップリンク・ソフト・ハンドオフを容易にするシステムを例示する。
【図１０】図１０は、本明細書に記載の様々なシステムおよび方法とともに使用できる無線ネットワーク環境を示す図である。
【図１】
2009506673.tif 000003
【図２】
2009506673.tif 000004
【図３】
2009506673.tif 000005
【図４】
2009506673.tif 000006
【図５】
2009506673.tif 000007
【図６】
2009506673.tif 000008
【図７】
2009506673.tif 000009
【図８】
2009506673.tif 000010
【図９】
2009506673.tif 000011
【図１０】
2009506673.tif 000012
【国際調査報告】
2009506673.tif 000013
2009506673.tif 000014
2009506673.tif 000015